【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
微量部分の添加剤を含む鉱物油組成物の成分としての添加剤であり、該添加剤が、
ａ）  ３０００〜５００００の重量平均分子量および５０〜９０質量％のエチレン部分を有する、ヒドロキシ基またはグリシジル基で変性されたエチレン−ビニルエステルコポリマー、
および
ｂ）  部分的にイミド化されたおよび／または部分的にエステル化された無水マレイン酸コポリマー、
のいずれかに基づくエステル結合を含む櫛型ポリマーであり、
ａ）およびｂ）に基づく櫛型ポリマー中の該変性されたエチレン−ビニルエステルコポリマー成分が、エステル結合によって、該部分的にイミド化されたおよび／または部分的にエステル化された無水マレイン酸コポリマー成分と連結された櫛型ポリマー、
または、
ｃ）  ３０００〜５００００の重量平均分子量および５０〜９０質量％のエチレン部分を有する、酸および／または酸無水物基で変性されたエチレン−ビニルエステルコポリマー、
および
ｄ）  Ｃ12〜Ｃ40モノカルボン酸で部分的にエステル化された多価アルコール、
に基づくエステル結合を含む櫛型ポリマーであり、
ｃ）およびｄ）に基づく櫛型ポリマー中の該酸および／または酸無水物基で変性されたエチレン−ビニルエステルコポリマーが、エステル結合によって、該Ｃ12〜Ｃ40モノカルボン酸で部分的にエステル化された多価アルコールと連結された櫛型ポリマー、
であり、鉱物油中の櫛型ポリマーの含有量が０．００５〜１質量％であり、
成分ａおよびｂに基づくセグメントの質量比  櫛型ポリマーセグメントａ／櫛型ポリマーセグメントｂ、または成分ｃおよびｄに基づくセグメントの質量比（Ｍａｓｓｅｖｅｒｈａｌｔｎｉｓ）  櫛型ポリマーセグメントｃ／櫛型ポリマーセグメントｄは、それぞれ１０／９０〜９０／１０である、
微量部分の添加剤を含む鉱物油組成物の成分としての添加剤。
【請求項２】
ａ）およびｂ）に基づく櫛型ポリマー中のヒドロキシ基で変性されたエチレン−ビニルエステルコポリマーが、８００〜５０００の数平均分子量および１０〜１５０ｍｇ  ＫＯＨ／ｇのＯＨ価を有する酸化されたエチレン−酢酸ビニルコポリマー、または８００〜５０００の数平均分子量を有し、酢酸ビニル単位の３〜３０モル％がケン化されている部分的にケン化されたエチレン−酢酸ビニルコポリマー、またはエチレンビニルエステル−ビニルアルコールコポリマーとブチルアルデヒドとのヘミアセタールである、請求項１に記載の添加剤。
【請求項３】
ａ）およびｂ）に基づく櫛型ポリマー中のヒドロキシ基またはグリシジル基で変性されたエチレン−ビニルエステルコポリマーが、３〜２０質量％のヒドロキシ−Ｃ2〜Ｃ24アルキル（メタ）アクリルエステルまたはグリシジル（メタ）アクリルエステル型の極性不飽和モノマーを、コモノマー成分としてエチレン−ビニルエステルコポリマー中に含んでなるか、またはエチレン−ビニルエステルコポリマーにグラフトされてなる、請求項１に記載の添加剤。
【請求項４】
ａ）およびｂ）に基づく櫛型ポリマー中に含まれ、エステル結合によって連結された部分的にイミド化された無水マレイン酸コポリマーが、Ｃ6〜Ｃ24モノアルキルアミンで部分的にイミド化された無水マレイン酸−α−メチルスチレンコポリマーであり、コポリマー内の無水物基のコポリマー内の結合したＣ6〜Ｃ24モノアルキルアミンに対するモル比が４：１〜１．１：１である、請求項１〜３のいずれか１つに記載の添加剤。
【請求項５】
ｃ）およびｄ）に基づく櫛型ポリマーにおいて、酸基で変性されたエチレン−ビニルエステルコポリマーが、８００〜５０００の数平均分子量および５〜４０ｍｇ  ＫＯＨ／ｇの酸価を有する酸化されたエチレン−ビニルエステルコポリマーである、請求項１に記載の添加剤。
【請求項６】
ｃ）およびｄ）に基づく櫛型ポリマーにおける酸および／または酸無水物基で変性されたエチレン−ビニルエステルコポリマーが、エチレン、ビニルエステルと１〜２０質量％の不飽和カルボン酸および／またはカルボン酸無水物とのコポリマーであるか、または１〜２０質量％の不飽和カルボン酸および／またはカルボン酸無水物でグラフトされたエチレン−ビニルエステルコポリマーである、請求項１に記載の添加剤。
【請求項７】
前記不飽和カルボン酸がアクリル酸および／またはメタクリル酸であり、前記カルボン酸無水物が無水マレイン酸である、請求項６に記載の添加剤。
【請求項８】
ｃ）およびｄ）に基づく櫛型ポリマーにおいて、Ｃ12〜Ｃ40モノカルボン酸で部分的にエステル化された多価アルコールが、不飽和Ｃ12〜Ｃ40モノカルボン酸のグリセリンエステルであり、Ｃ16〜Ｃ24モノカルボン酸の全質量に対するＣ22モノカルボン酸含有量が４５〜５２質量％である、請求項１、５および７のいずれか１つに記載の添加剤。
【請求項９】
鉱物油が、それぞれ硫黄分が０．０５重量％未満の暖房用油、軽油またはディーゼル油である、請求項１〜８のいずれか１つに記載の鉱物油組成物。
【請求項１０】
鉱物油が、櫛型ポリマーに対して合計０〜２００質量％の、脂肪酸混合物、極性窒素化合物、エチレン性不飽和Ｃ4〜Ｃ20ジカルボン酸無水物の変性コポリマー、非変性エチレン−ビニルエステルコポリマー、Ｃ7〜Ｃ30アルコール、ポリアルキレングリコール、ポリオキシアルキレン化合物のエステルまたはエーテル、Ｃ2〜Ｃ6オキシアルキル架橋Ｃ12〜Ｃ40モノカルボン酸、炭化水素ポリマー、アルキルフェノール−アルデヒドコポリマー、Ｃ8〜Ｃ100アルキル置換基を有する芳香族化合物、カルボキシル化ポリアミン、界面活性剤（Ｄｅｔｅｒｇｅｎｔｉｅｎ）、腐食防止剤、乳化破壊剤、金属不活性化剤、セタン価向上剤、消泡剤および共溶媒からなる群より選ばれた１あるいは２以上の他の添加剤成分を含んでなる、請求項１〜９のいずれか１つに記載の鉱物油組成物。
【請求項１１】
前記極性窒素化合物が、ポリアミン、エーテルアミン、アミノアルコール、多価カルボン酸のアミン塩、アミドまたはイミドである、請求項１０に記載の鉱物油組成物。
【請求項１２】
前記Ｃ2〜Ｃ6オキシアルキル架橋Ｃ12〜Ｃ40モノカルボン酸が、Ｃ16〜Ｃ24モノカルボン酸の全質量（Ｇｅｓａｍｔｍａｓｓｅ）に対するＣ22モノカルボン酸含有量が４５〜５２質量％であるＣ3〜Ｃ4オキシアルキル架橋不飽和Ｃ16〜Ｃ24モノカルボン酸である、請求項１０または１１に記載の鉱物油組成物。
【請求項１３】
添加剤として、
ａ）  ３０００〜５００００の重量平均分子量および５０〜９０質量％のエチレン部分を有する、ヒドロキシ基またはグリシジル基で変性されたエチレン−ビニルエステルコポリマー、
および
ｂ）  部分的にイミド化されたおよび／または部分的にエステル化された無水マレイン酸コポリマー、
のいずれかに基づいたエステル結合を含む櫛型ポリマーであり、
ａ）およびｂ）に基づく櫛型ポリマー中の該変性されたエチレン−ビニルエステルコポリマー成分が、エステル結合によって、該部分的にイミド化されたおよび／または部分的にエステル化された無水マレイン酸コポリマー成分と連結された櫛型ポリマー、
または、
ｃ）  ３０００〜５００００の重量平均分子量および５０〜９０質量％のエチレン部分を有する、酸および／または酸無水物基で変性されたエチレン−ビニルエステルコポリマー、
および
ｄ）  Ｃ12〜Ｃ40モノカルボン酸で部分的にエステル化された多価アルコール、
に基づくエステル結合を含む櫛型ポリマーであり、
ｃ）およびｄ）に基づく櫛型ポリマー中の該酸および／または酸無水物基で変性されたエチレン−ビニルエステルコポリマーが、エステル結合によって、該Ｃ12〜Ｃ40モノカルボン酸で部分的にエステル化された多価アルコールと連結された櫛型ポリマー、
を含み、かつ
鉱物油中の櫛型ポリマーの含有量が０．００５〜１質量％であり、成分ａおよびｂに基づくセグメントの質量比  櫛型ポリマーセグメントａ／櫛型ポリマーセグメントｂ、または成分ｃおよびｄに基づくセグメントの質量比  櫛型ポリマーセグメントｃ／櫛型ポリマーセグメントｄは、それぞれ１０／９０〜９０／１０である、鉱物油組成物を、
−第１プロセス工程において、中間留分鉱物油中に添加剤成分を１〜６０質量％含む溶液を２０〜９０℃で製造する、および
−第２プロセス工程において、該添加剤成分を含む溶液を主成分としての鉱物油と均質化する、
工程により製造し、
第１プロセス工程または第２プロセス工程いずれかにおいて、櫛型ポリマーに対して合計０〜２００質量％の他の添加剤成分を鉱物油に添加する、微量部分の添加剤を含む鉱物油組成物の製造方法。
【請求項１４】
低温で輸送され、保存されるべき流動媒体としての、請求項１〜１２のいずれか１つに記載の鉱物油組成物の使用。